(57)【要約】      （修正有）【課題】取手孔の周縁が裂けるのを防止し、運搬の便に供することのできる容器の取手の構造を提供する。【解決手段】内部に物品３７を内装する為の空間２４を有する容器であって、その容器の周壁部材３には取手孔１１が備えられ、容器内にあっては、上側に物品３７を載せて支持し得るようにしてある仕切り板１６が備えられ、仕切り板１６の端部１８の位置は、上記取手孔１１に対して外部から差し込んだ指の先により、上記仕切り板１６の端部１８の下側に対して上向きの持上力を加えることを可能に、上記取手孔１１の上縁１２に近づいた位置に配置してある。【選択図】図１
0003191689.tif 000002
【実用新案登録請求の範囲】
【請求項１】
内部に物品を内装する為の空間を有する容器であって、
その容器は、周壁部材と、周壁部材に夫々連繋された底部材と上部材とを備え、
上記周壁部材の両側における各上下方向の中間位置には、複数の指を挿入する為の取手孔が備えられ、
上記容器内にあっては、上側に物品を載せて支持し得るようにしてある仕切り板が上下方向の中間位置に備えられ、
しかも、上記仕切り板の端部の位置は、上記取手孔に対して外部から差し込んだ指の先により、上記仕切り板の端部の下側に対して上向きの持上力を加えることを可能に、上記取手孔の上縁に近づいた位置に配置してある
ことを特徴とする容器の取手の構造。  
【請求項２】
内部に物品を内装する為の空間を有する容器であって、
その容器は、周壁部材と、周壁部材に夫々連繋された底部材と上部材とを備え、
上記周壁部材の両側における各上下方向の中間位置には、複数の指を挿入する為の取手孔が備えられ、
上記容器内にあっては、上側に物品を載せて支持し得るようにしてある仕切り板が上下方向の中間位置に備えられ、
さらに、上記仕切り板の端部においては、小端から連繋部材を残した中央寄り位置に、上記取手孔から容器に差し込んだ複数の指の先を、さらに挿入する為の第２取手孔が備えられ、上記取手孔から容器に差し込んだ複数の指の先を上記第２取手孔に入れ、その指先で、上記仕切り板の端部に備える第２取手孔の小端側を容器の周壁部材の側に引き寄せることにより、仕切り板の端部に備える小端を容器の周壁部材の内面3eに当接可能にしてあることを特徴とする容器の取手の構造。  
【請求項３】
内部に物品を内装する為の空間を有する容器であって、
その容器は、周壁部材と、周壁部材に夫々連繋された底部材５と上部材４とを備え、
上記周壁部材の両側における各上下方向の中間位置には、複数の指を挿入する為の取手孔が備えられ、
上記容器内にあっては、上側に物品を載せて支持し得るようにしてある仕切り板が上下方向の中間位置に備えられ、
しかも、上記仕切り板の端部は、上記取手孔に対して外部から差し込んだ指の先により、上記仕切り板の端部における連繋部材の端部を支持可能に、上記取手孔の上縁に近づいた位置に配置してあり、
さらに、上記仕切り板の端部においては、小端から連繋部材を残した中央寄り位置に、上記取手孔から容器に差し込んだ複数の指の先を、さらに挿入する為の第２取手孔が備えられ、上記取手孔から容器に差し込んだ複数の指の先を上記第２取手孔に入れ、その指先で、上記仕切り板の端部に備える第２取手孔の小端側を容器の周壁部材の側に引き寄せることにより、仕切り板の端部に備える小端を容器の周壁部材の内面3eに当接可能にしてあることを特徴とする容器の取手の構造。
【請求項４】
内部に物品を内装する為の空間を有する容器であって、
その容器は、周壁部材と、周壁部材に夫々連繋された底部材と上部材とを備え、
上記周壁部材の両側における各上下方向の中間位置には、複数の指を並べた状態で挿入する為の取手孔が備えられ、
上記容器内にあっては、上側に物品を載せて支持し得るようにしてある２つの仕切り板を、容器の上下方向の中間位置に備えられ、  しかも、上記仕切り板の夫々の端部は、相互に重合させ、上記取手孔に対して外部から差し込んだ指の先により、上記各仕切り板の端部の下側を持受け可能に、上記取手孔の上縁に近づいた位置に配置してあり、
さらに、上記各仕切り板の端部においては、夫々小端から連繋部材を残した中央寄り位置に、上記取手孔から容器に差し込んだ複数の指の先を、さらに挿入する為の取手孔が相互に重合した状態で夫々備えられ、上記仕切り板の端部に備える重合状の取手孔の小端側を容器の周壁部材の側に引き寄せることにより、各仕切り板の端部に備える小端を容器の周壁部材の内面に当接可能にしてあることを特徴とする容器の取手の構造。  
【考案の詳細な説明】
【技術分野】
【０００１】
本考案は、物品を運搬する場合に、その物品を内装して運搬の便に供することのできる容器の取手の構造に関する。
【背景技術】
【０００２】
従来より、  内部に物品を内装する為の空間を有する筒状容器であって、その容器は、周壁部材と、底部材と、上部材とを備え、上記周壁部材の両側における上下方向の中間位置には、複数の指を並べた状態で挿入する為の取手孔が備えられている容器の取手の構造は、広く知られている。例えば特許文献１に示される容器の取手の構造等を含めて知られている。
【０００３】
例えば上記の特許文献１に示される容器の取手は、紙製段ボールの周壁部材の両側における上下方向の中間位置に、内外に貫通するように透孔（ハンドリング孔と称される孔）が備えられ、これには複数の指は勿論のこと、釣り鈎Kを挿入できるように構成されている。
上記ハンドリング孔（複数の指を挿入できる孔に相当する孔）は、釣り鈎Kを挿入して釣り上げる場合、周知の紙製段ボール容器の壁部に備えられた取手孔の場合と同様に、取手孔の周縁に対して、その周縁を捲り上げる方向に力が加わり、紙製段ボール容器の壁部の強度が弱いと、周知のように孔の上縁の両側に上方に向けての裂け目（破れ目）が入る恐れがある。
【０００４】
上記の特許文献１に示される容器の取手にあっては、孔の両側上縁に裂け目（破れ目）が入ることを予め防止するために、胴部の内面側には前記ハンドリング孔にかぶさるように厚紙製補強部材が貼着されている。
しかも、特許文献１に示される容器の取手にあっては、「厚紙製補強部材の厚さ」を、「約３ｍｍ程度の厚紙を用いることが好ましい」、としている。
その理由としては、「それ以下の薄い紙を用いた場合は強度不足を生ずることがあり、またそれ以上の厚い紙を用いると後記のように舌片が曲がりにくく、ハンドリング時に釣り鈎を思うように差し込むことができないことがあるからである。」と、その「厚紙製補強部材の厚さ」に関わる事情説明がなされている。
【先行技術文献】
【特許文献】
【０００５】
【特許文献１】実開平６−５９２１４号公報
【考案の概要】
【考案が解決しようとする課題】
【０００６】
この従来の容器の構造では、特許文献１の説明から明らかなように、平坦な板状の紙製の段ボールの各所に所定の切れ目を入れ、所定の位置において夫々折り曲げて図示されるような多角筒容器を形成している。
従って、容器の取手を構成するハンドリン孔の周囲であって、胴部の内面側に前記ハンドリング孔に被さるように厚紙製補強部材を貼着する構成は、「厚紙製補強部材」となる部材が余分に必要となり、材料費が嵩むその上に、前記ハンドリング孔に被さるように厚紙製補強部材を貼着する作業手間を余分に必要とし、人件費が嵩む等、コストを高める問題点がある。
【０００７】
その上、特許文献１の図面からも明らかなように、多角筒容器の胴部の内面側の中央部に前記ハンドリング孔に被さるように厚紙製補強部材を貼着すると、本来、多角筒容器の胴部の内面側は平坦で、平滑面であるべきが、そこに凸部（引掛り部）が発生することになる。即ち、本件の図１に表れているような「仕切り部材」を、容器の内部に対して「出し入れ」する場合、平滑面である胴部の内面側に沿わせて出し入れするのであるが、胴部の内面側に凸部（厚紙製補強部材）があると「仕切り部材」の出し入れは勿論のこと、収納すべき物品を胴部の内面側に沿わせて（滑らせて）出し入れすることができなくなる作業上の問題点が生じる。
【０００８】
本件出願の目的は、容器１を運搬するにあたり、容器１の胴部に形成されている取手孔１１に指４０を差し込んで、容器１全体を持ち上げる場合において、取手孔１１の周縁に加わるべき荷重を、他に分散させて軽減させ、容器１の取手孔１１の周囲が裂け難いようにした容器１の取手１０の構造を提供しようとするものである。  
他の目的及び利点は図面及びそれに関連した以下の説明により容易に明らかになるであろう。
【課題を解決するための手段】
【０００９】
本考案における容器１の取手１０の構造は、  
内部に物品３７を内装する為の空間24を有する容器１であって、
その容器１は、周壁部材３と、周壁部材３に夫々連繋された底部材５と上部材４とを備え、
上記周壁部材３の両側における各上下方向の中間位置には、複数の指４０を挿入する為の取手孔１１が備えられ、
上記容器１内にあっては、上側に物品３７を載せて支持し得るようにしてある仕切り板１６が上下方向の中間位置に備えられ、
しかも、上記仕切り板１６の端部１８の位置は、上記取手孔１１に対して外部から差し込んだ指４０の先により、上記仕切り板１６の端部１８の下側に対して上向きの持上力を加えることを可能に、上記取手孔１１の上縁１２に近づいた位置に配置してある。
【００１０】
また好ましくは、内部に物品３７を内装する為の空間24を有する容器１であって、
その容器１は、周壁部材３と、周壁部材３に夫々連繋された底部材５と上部材４とを備え、
上記周壁部材３の両側における各上下方向の中間位置には、複数の指４０を挿入する為の取手孔１１が備えられ、
上記容器１内にあっては、上側に物品３７を載せて支持し得るようにしてある仕切り板１６が上下方向の中間位置に備えられ、
さらに、上記仕切り板１６の端部１８においては、小端１９から連繋部材２０を残した中央寄り位置に、上記取手孔１１から容器１に差し込んだ複数の指４０の先を、さらに挿入する為の第２取手孔２１が備えられ、上記取手孔１１から容器１に差し込んだ複数の指４０の先を上記第２取手孔２１に入れ、その指先で、上記仕切り板１６の端部１８に備える第２取手孔２１の小端側を容器１の周壁部材３の側に引き寄せることにより、仕切り板１６の端部１８に備える小端１９を容器１の周壁部材３の内面3eに当接可能にしてある。  
【００１１】
また好ましくは、内部に物品３７を内装する為の空間24を有する容器１であって、
その容器１は、周壁部材３と、周壁部材３に夫々連繋された底部材５と上部材４とを備え、
上記周壁部材３の両側における各上下方向の中間位置には、複数の指４０を挿入する為の取手孔１１が備えられ、
上記容器１内にあっては、上側に物品３７を載せて支持し得るようにしてある仕切り板１６が上下方向の中間位置に備えられ、
しかも、上記仕切り板１６の端部１８は、上記取手孔１１に対して外部から差し込んだ指４０の先により、上記仕切り板１６の端部１８における連繋部材２０の端部を支持可能に、上記取手孔１１の上縁１２に近づいた位置に配置してあり、
さらに、上記仕切り板１６の端部１８においては、小端１９から連繋部材２０を残した中央寄り位置に、上記取手孔１１から容器１に差し込んだ複数の指４０の先を、さらに挿入する為の第２取手孔２１が備えられ、上記取手孔１１から容器１に差し込んだ複数の指４０の先を上記第２取手孔２１に入れ、その指先で、上記仕切り板１６の端部１８に備える第２取手孔２１の小端側を容器１の周壁部材３の側に引き寄せることにより、仕切り板１６の端部１８に備える小端１９を容器１の周壁部材３の内面3eに当接可能にしたものである。
【００１２】
また好ましくは、内部に物品３７を内装する為の空間24aを有する容器１であって、
その容器１は、周壁部材３と、周壁部材３に夫々連繋された底部材５と上部材４とを備え、
上記周壁部材３の両側における各上下方向の中間位置には、複数の指４０を並べた状態で挿入する為の取手孔１１が備えられ、
上記容器１内にあっては、上側に物品３７を載せて支持し得るようにしてある重合状態の２つの仕切り板16、30を、容器１の上下方向の中間位置に備えられ、
しかも、上記重合状態の仕切り板16、30の夫々の端部18、31は、相互に重合させ、上記取手孔１１に対して外部から差し込んだ指４０の先により、上記各仕切り板１６の端部16、30の下側を持受け可能に、上記取手孔１１の上縁１２に近づいた位置に配置してあり、
さらに、上記各仕切り板16、30の端部18、31においては、夫々小端19、32から連繋部材20、33を残した中央寄り位置に、上記取手孔１１から容器１に差し込んだ複数の指４０の先を、さらに挿入する為の取手孔21、34が相互に重合した状態で夫々備えられ、上記仕切り板16、30の端部に備える重合状の取手孔21、34の小端側を容器１の周壁部材３の側に引き寄せることにより、各仕切り板16、30の端部に備える小端19、32を容器１の周壁部材３の内面3eに当接可能にしたものであればよい。  
【考案の効果】
【００１３】
以上のように本考案は、物品の入った容器を運搬する場合、  容器における周壁部材に備えさせた取手孔に複数の指を挿入して、取手孔の周縁（上縁）に持上力を加えて容器を持ち上げ、運搬する場合、即ち、容器を持ち上げて運搬するに必要な力を取手孔に対して加える場合、その「持上力」を容器における周壁部材の取手孔の上縁に集中させるものではなく、他の箇所にも分散させて、取手孔の周縁の局部に対して持上力が集中して及ぶのを防止し、従来のように取手孔の周縁が裂けて、運搬作業が滞り、能率が低下するのを防止できる効果がある。
【図面の簡単な説明】
【００１４】
【図１】容器本体と、仕切り板と、第２の仕切り板と、内装する物品との関係を説明するための分解斜視図。
【図２】（A）は容器本体の内部に対して、第２の仕切り板を納め、さらにその上に仕切り板を重合状態で納め、仕切り板の上側に物品を収めるための空間を備えさせた状態を説明するための斜視図。  （B）は、容器本体の内部に対して、第２の仕切り板を納めた状態を説明するための斜視図。
【図３】（A）は、作業員が容器を吊り下げ状態で運搬する場合を説明するための斜視図。（B）は、容器を両持ち状態で運搬する場合を説明するための斜視図。
【図４】容器を吊り下げ状態で運搬する場合の指と、容器本体と、仕切り板との関係を説明するための１部破断説明図。
【図５】容器を両持ち状態で運搬する場合の指と、容器本体と、仕切り板との関係を説明するための１部破断説明図。
【考案を実施するための形態】
【００１５】
以下本考案の実施の形態を図面を用いて説明する。図において、
１は、内部に物品３７を内装する為の空間24を有する容器である。
その容器１における容器本体２は、図１に表れているように周知の手段で折り曲げ形成してある周壁部材３と、周壁部材３に夫々折れ目を介して連繋された底部材５と上部材（蓋部材）４とを一体化させた状態で備えている。
その外形の形態は、図３に表れているように角筒状（円筒状であっても差し支えない）に形成してある。容器本体２の構成材料は、多くの場合、材料コストの面から、加工の容易性から段ボール材が用いられるが、他の硬質材料を用いても良い。段ボール材の厚みは、周知のように内部に収納する物品の重量と、内部の仕切り板（補強構造）の構成を考慮して決定される
3a、3b、3c、3dは、夫々左側、右側、前側、後側の周壁部材を示すものである。3eは周壁部材の内面を示している。
６は周壁部材３に折曲げ自在に連係させてある中蓋、７は蓋部材４に備えさせた止め部材で、嵌込み孔２３と対をなすもので、図３の運搬状態では周知のように蓋４の閉鎖状態を維持できるようにしてある。
【００１６】
上記周壁部材３の両側（3a、3b）の対向位置における各上下方向の中間位置（任意の高さ位置）には、取手10、10を構成する為に、複数の指４０を並べた状態で挿入できるようにした略楕円形状の取手孔11、11が備えられている。１２は指４０の腹を沿わせ得るように取手孔11の上縁を平にした孔縁、１３は、周知のように、取手孔11の形成に当り上縁部分を残して、他の孔縁に切れ目を入れ、取手孔11の上縁部分を内折りにして形成されている舌片であり、この舌片１３の存在により図４、５の運搬状態においては、掌４１、４４に対する当りが柔らかくなり、痛みが軽減される。
【００１７】
上記容器１内にあっては、図２（A）の上側の空間２４に物品３７を納めた場合、その物品３７を載せて支持し得るようにしてある仕切り板１６が、図２（A）に表れているように、容器１の上下方向の中間位置（任意の位置）に上下動自在で、着脱自在に備えられている。
仕切り板１６の所定位置での支持構造は、任意の部材で形成された支持物を第２空間24aに配置するなど任意構成で良いが、例えば、図２（A）、（B）から理解できるように第２空間24aに第２の仕切り板３０を定置し、第２の仕切り板３０で支持するようにしてもよい。１７は容器本体２と同じような段ボール材等で形成された仕切り板本体で、その厚みは、周知のように上に乗せる物品３７、例えば、衛星放送の受信信号を受信する為のパラボラアンテナ等の重量を考慮して必要な強度が得られるように決定される。
仕切り板本体１７にあって、１８は、図４、５に表れているように容器本体２の周壁部材の内面3e近くに位置させる端部を示し、１９は、その端部１８において容器本体の周壁部材の内面3eに対向させる端面（小端）である。
この端部１８には、図１、２及び図４、５から理解できるように、小端（端面）から連繋部材２０を残した中央寄り位置に、複数の指を並べた状態で挿入できる大きさの仕切り板取手孔２１が設けられている。
端部１８に備える連繋部材２０の構成としては、図４、図５の状態において、容器１を運搬する場合に、容器本体２の取手孔11から差し込んだ複数の指先の腹で連繋部材２０に対して上方に向けた持上力を加えても充分に耐えることのできる強度を備える構成の部材であれば良い。
【００１８】
上記仕切り板１６の端部１８は、図示のように上記取手孔１１に対して外部から差し込んだ指４０の先により、上記仕切り板１６の端部１８の下側を支持可能に、上記取手孔１１の上縁（孔縁）１２に近づいた位置に配置してある。
【００１９】
上記仕切り板１６において、仕切り板本体１７の周囲、特に、図１のように仕切り板取手孔２１に近い、両側位置に対して、一体材でもって折曲げ自在に付設した位置決め片２２（図１参照）は、図２（A）からも理解できるように周壁３の上端の位置に揃えてあり、中蓋６（中蓋６がない場合は蓋部材４）を閉じた図３の状態では、図４、５から理解できるように位置決め片２２の上端22aは中蓋６（中蓋６がない場合は蓋部材４）の内面に当接して位置決め効果を発揮し、仕切り板本体１７の不用意な浮き上がりを防止する。  
【００２０】
図５に表れているように、容器本体２の取手孔11から差し込んだ複数の指の腹で、容器本体２の取手孔11の孔縁１２に対して上方への持上力を加える場合、図５のようにして手の掌４１で孔縁１２に対して上方への「持上力」を加えると共に、複数の指先の腹４５で仕切板本体１７の連繋部材２０に対して上方に向けた持上力（分散させる持上力）を加え、上側（空間24の側）に物品（例えばパラボラアンテナ）３７を載せて支持し得るようにしてある仕切り板１６に「持上力」を加えることができる。この仕切り板１６に対する「持上力」は、物品（例えばパラボラアンテナ）３７の、容器本体２に対する過重負担を軽減し、容器本体２の周壁部材３の肉厚を薄くしてコストを低下させる効果がある。
【００２１】
更に上記の連繋部材２０に対して分散付与した「持上力」の一部を、位置決め片２２の上端22aを介して中蓋６（中蓋６がない場合は蓋部材４）の内面に伝達することができる。  このように、上記構成にあっては、重い物品３７が空間24に入っている容器１の全体を持ち上げるに当たり、必要な持上力の全てを容器本体２の取手孔11の孔縁１２に対して加えるのではなく、仕切り板本体１７の連繋部材（端部の部材）２０に対しても分散させた持上力を加えることができるので、容器本体２の取手孔11の孔縁１２に対する重量負担は小さくなり、周壁部材３を薄くしても、孔縁１２の損傷を予め防止できる効果がある。
【００２２】
さらに、上記仕切り板１６の端部１８においては、小端（端面）１９から連繋部材２０を残した中央寄り位置に、上記容器本体２における取手孔１１から容器１内に差し込んだ複数の指４０の先を、さらに挿入する為の第２取手孔２１が備えられている。
この第２取手孔２１は、図３（A）のように作業員が容器１を吊り下げ状態で運搬する場合、図４のように上記の容器本体２の取手孔１１から容器１内に差し込んだ複数の指４０の先を、さらに挿入する為のものである。図４のように指４０の先を挿入すると、自然に上記仕切り板１６の端部１８の小端１９の側を、容器本体２の周壁部材３の内面3eの側に引き寄せることになり、結局、上記の容器１内に差し込んだ複数の指４０の先部により上記端部１８（連繋部材２０）に加えられる上方に向けての持上げ力４６は、仕切り板１６の端部１８に備える小端１９の、容器本体２の周壁部材３の内面3eに当接する広い面を介して、容器本体２の周壁部材３の内面3eの広い範囲に渡って分散される状態で伝播される。
【００２３】
上記の事は、容器本体２の取手孔１１に指４０の先部を挿入して、取手孔１１の孔縁１２を指４０の先部で直接持ち上げる従来方法は、取手孔１１の孔縁１２に対して指４０の先部からの力が集中して、取手孔の周縁に対して、その周縁を捲り上げる方向に力が加わり、取手孔１１の孔縁１２に裂け目を形成する可能性が高かったのに比較して、
上記のようにして、端部１８（連繋部材２０）の広い範囲に渡って形成される小端１９を介して、上記取手孔１１の孔縁１２の近所を持ち上げる場合は、「持上げ力」が、容器本体２の周壁部材の内面3eの広い範囲に分散する特徴があり、容器本体２の取手孔１１の孔縁１２に裂け目を形成する可能性を極めて低減させることのできる効果がある。
またこのことにより、容器本体２の取手孔１１の周辺における段ボール材の肉厚を薄くする（強度を弱める）ことを可能にし、材料コストの低減を図ることもできる。
このように、上記容器１の取手１０にあっては、周壁部材３における取手孔１１と、取手孔１１の上縁１２に近づいた位置に配置してある上記仕切り板１６の端部１８で構成するものであるから、丈夫であり、周壁部材３の肉厚を薄くして、コスト低下させても、活用できる容器を提供できる。
【００２４】
図１、図２（B）、図４、５に表れている第２の仕切り板３０は、必要に応じて備えさせるものである。例えば、周知のように小物の物品37a（例えば、アンテナ支持金具、同軸ケーブル、取扱説明書等任意）を収納するのに便利なように、複数の小物収容用の第2空間24aを構成している。材料としては、容器本体２、仕切り板１６等と同じような段ボール材（板厚は、収納される物品の性質によって任意に設定する）等で形成されている。
30aは左右仕切部材、30bは前後仕切部材、30cは上下仕切部材で、図５に表れているように仕切り板本体１７を支持できるように構成してある。30dは図２（A）のように、仕切り板本体１７に備えさせて切れ目30fを貫通させて、空間２４に突出させた上下連結片を示す。この上下連結片30dの上端はパラボラアンテナ３７の傾きを防止するのに、支え部材として役立つ。  30eは、夫々周知のように別体に形成されている前後仕切部材30b、左右仕切部材30a、上下仕切部材30cを組み合わせる場合に用いられる組合せ用の切れ目である。  
【００２５】
３１は、第２の仕切り板３０の端部、３２は、上記端部３１の端面（小端）、３３は、上記端部３１において、端面３２と第2仕切り部材取手孔３４との間に存在させる連繋部材、３４は、上記第２取手孔２１に対して、重合させた位置に備えさせてある第2仕切り部材取手孔で、図４、５から理解できるように、夫々の運搬態様においての「指４０」の有効な働きを可能とする位置に備えさせてある。３５は上記第2の舌片で、上記舌片１３の場合と同様に、折り目を介して折曲げ自在に周知の手段で構成してある。
【００２６】
次に、図面において、３８は一般に作業者と称される人、３９は作業者の手で、４０は指、４１は掌、４２は第１関節の内側、４３は第２関節の内側、４４は第３関節の内側、４５は指先腹部を夫々示すものである。
【００２７】
なお、当分野においては図１の状態で容器本体２に対して物品３７を納め、蓋をして積み重ねて保管したり、図３（B）の状態で運搬したりする場合が多い。しかし、図３（A）の吊り下げ状態で容器を運搬する場合も多い。従って、当業者は利用の形態によって上下左右の呼び名を適宜変更して用いている。このような事情から本件（特許請求の範囲、明細書、図面）においては、上下左右の用語の用い方においては、仮に、図３（B）の状態で用いられた場合を想定して、作業者から見ての、容器の上下方向と左右方向を仮称して説明する。
【００２８】
上記構成の容器１についての利用手段等を説明する。
容器１の組み立ては、図１から理解できるように、容器本体２、仕切り板１６、さらに必要に応じて第２の仕切り板３０を用意する。
次に図２（B）から理解できるように、容器本体２の内部に対して第２の仕切り板３０を挿入し、続いて図２（A）のように、第２の仕切り板３０の上側に仕切り板１６を重合状に挿入する。この場合、第２の仕切り板３０の第２空間24aに任意の小物の物品37a（例えば、アンテナ支持金具、同軸ケーブル、取扱説明書等任意）を収納する必要性がある場合には、仕切り板１６の重合に先だって収納すればよい。また、第２の仕切り板３０がない場合は、前述のごとく、仕切り板１６を安定的に支持するための任意の段ボール製支持部材を構成し、第２空間24aに定置し、仕切り板１６を定位置に保持すればよい。
【００２９】
上記の場合、容器本体２の周壁部材３の内面3eと、仕切り板１６及び第２の仕切り板３０の夫々の端部１８、３１における各端面１９、３２との位置関係は、図４、５から理解できるように、上下方向への摺擦を自在に、僅かな間隙を隔てて（実質的には内部の仕切り板１６及び第２の仕切り板３０が移動しないように、あたかも当接したような状態で）内在させてある。
そして、仕切り板１６の上側の空間２４に任意の物品（例えばパラボラアンテナ）３７を納め、あとは周知のように中蓋６を蓋着し、上部材（蓋）４を被せ付け、止め部材７を嵌込み孔２３に装着する。
【００３０】
次に運搬にあたっては、図３から理解できるように、作業者３８の片方の手３９で吊り下げたり（図３（A）の吊り下げ状態の図参照）、作業者３８の両方の手39、39で持ち上げたり（図３（B）の両持ち状態の図参照）して運搬する。
斯かる運搬状態における容器１の取手１０と、作業者３８の手３９との関係は次のようになる。  
【００３１】
上記図３（B）、即ち、図５の両持ち状態の場合、前述のように、容器１内にあっては、上側に物品３７を載せて支持し得るようにしてある仕切り板１６が上下方向の中間位置に備えられ、  しかも、上記仕切り板１６の端部１８は、上記取手孔１１に対して外部から差し込んだ指４０の先により、上記仕切り板１６の端部１８の下側に対して上向き（両持ち状態の場合は蓋部材４の方向）の持上力４６を加えることを可能に、上記取手孔１１の上縁１２に近づいた位置に配置してある。
従って、手３９における指先を取手孔１１に挿通させた状態にあっては、図５のように、孔縁１２に対して第３関節の内側４４を当接させて、容器本体２に対して、手３９からの「持上力４６」を伝達させることができる。
【００３２】
その上、上記構成にあっては、手３９における指先腹部４５は、図５のように仕切り板１６の端部１８の下側に対して、第２の仕切板３０における端部３１、第2の舌片３５を介在させる状態で、上向きに当接させることができ、仕切り板１６の端部１８を下側から上側に向けて押し上げることができる。
このことは、仕切り板１６の上に乗せてある物品３７に対して、手３９からの「持上力４６」の一部を分散して及ぼすことであり、指先腹部４５からの持ち上げる力に相当する力が、上記取手孔１１の上縁１２に加わる力を軽減することになり、その結果、上記取手孔１１の上縁１２を外部に向けて捲り上げる力を減少させ、上記取手孔１１の上縁１２が裂ける事故を防止する効果がある。
【００３３】
なお、図５においては第２の仕切板３０が存在している状態で説明したが、これが無い場合においては、図５から理解できるように指先腹部４５は、端部１８における連係部材２０の仕切り板取手孔２１の孔縁に当椄し、同様の効果が得られる。
【００３４】
上記図３（A）、即ち、図４の吊り下げ状態の場合、前述のように、容器１内にあっては、仕切り板１６の端部１８は、上下方向になっており、上方に位置する取手孔１１に対して外部（上部）から差し込んだ指４０の先により、上記仕切り板１６の端部１８の連繋部材２０の下側を支持可能に、上記取手孔１１の上縁１２に近づいた位置に配置してある。さらに、上記仕切り板１６の端部１８においては、小端（端面）１９から連繋部材を残した中央寄り位置に、上記取手孔１１から容器１内に差し込んだ複数の指４０の先を、さらに挿入する為の第２取手孔２１が備えられ、上記仕切り板１６の端部１８に備える第２取手孔２１の小端１９の側を容器１の周壁部材３の内面3eの側に引き寄せることにより、仕切り板１６の端部１８に備える小端１９を容器１の周壁部材３の内面3eに当接させ、持上力４６を上記端部１８に備える小端１９を介して周壁部材３の内面3eに広げて分散させるようにしてある。
【００３５】
従って、図４のように、容器１における周壁部材の内の右側の周壁部3bを上にして、図３（A）の状態で持ち歩く場合、指先の第１関節の内側４２は、連繋部材２０の下側の仕切り板取手孔２１に入り、連繋部材２０の下側に当接することになる。斯かる状態で手３９を持ち上げると、手３９からの「持上力４６」は、指先の第１関節の内側４２を介して連繋部材２０を持ち上げることになり、前述したように上記端部１８に備え、広い範囲にわたって延びる小端１９を介して周壁部材３の内面3eの広い面に分散状態で伝達される。このような伝達経路が構成されると、上記取手孔１１の周縁１２に加わる力は軽減されることになり、その結果、上記取手孔１１の周縁１２を外部に向けて捲り上げる力は減少し、上記取手孔１１の周縁１２が裂ける事故を防止する効果がある。
【００３６】
なお、図４においては第２の仕切板３０が存在している状態で説明したが、これが無い場合においては、図４から理解できるように指先の内側は、端部１８における連繋部材２０の仕切り板取手孔２１の孔縁に直接当椄し、上記と同様の効果が得られる。  
【符号の説明】
【００３７】
１・・・容器、
２・・・容器本体、
３・・・周壁、
3a、3b、3c、3d・・・左側、右側、前側、後側の周壁部材、
3e・・・周壁部材の内面、
４・・・上部材（蓋部材）、
５・・・底部材、
６・・・中蓋、
７・・・止め部材、
１０・・・取手、      
１１・・・取手孔、
１２・・・孔縁、
１３・・・舌片、  
１６・・・仕切り板、
１７・・・仕切り板本体、
１８・・・端部、
１９・・・端面、
２０・・・連繋部材、      
２１・・・仕切り板取手孔、
２２・・・位置決め片、
22a・・・位置決め片の上端、
２３・・・嵌込み孔、
２４、24a・・・空間、
３０・・・第２の仕切り板、
30a・・・左右仕切部材、30b・・・左右仕切部材、30c・・・上下仕切部材、30d・・・上下連結片、  30e・・・組合せ用の切れ目、    
３１・・・端部、
３２・・・端面、
３３・・・連繋部材、      
３４・・・第2仕切り部材取手孔、  
３５・・・第2の舌片、
３７・・・物品、
３８・・・作業者、
３９・・・作業者の手、
４０・・・指、
４１・・・手の掌、
４２・・・第１関節の内側、
４３・・・第２関節の内側、
４４・・・第３関節の内側、
４５・・・指先腹部
【図１】
0003191689.tif 000003
【図２】
0003191689.tif 000004
【図３】
0003191689.tif 000005
【図４】
0003191689.tif 000006
【図５】
0003191689.tif 000007